(57)【要約】      （修正有）【課題】ソーチェーンのデプスゲージを、誰でも使いやすく簡単で正確に研磨することが出来て、今までに存在しないとても優れたデプスゲージ研磨器具を提供する。【解決手段】チェーンソーのソーチェーンに被せて使用するため、本体をコの字型に形成して、コの字型背面の端寄りに研磨ヤスリ掛け用の長方形開口部７を形成し、焼き入りローラー５を支持ブラケット４にローラーピン３で取り付け、本体ヤスリ掛け用の長方形開口部７両側面に形成したデプスゲージ研磨器具１であって、焼き入りローラー５の取り付け位置はデプスゲージ高さの規定寸法位置に取り付け、デプスゲージを規定寸法高さに研磨出来て過剰研磨を制限する。【選択図】図１
0003218960.tif 000002
【実用新案登録請求の範囲】
【請求項１】
ソーチェーンの刃に被せて使用するデプスゲージ研磨器具には、焼き入りローラー２個が取り付けてあり、研磨ヤスリを前後動作で研磨をするとき削り過ぎをする事があるので、焼き入りローラー２個で過剰研磨を制限して、デプスゲージを適正高さ寸法に研磨が簡単にできることを特徴とするデプスゲージ研磨器具。
【請求項２】
求項１に記載のデプスゲージ研磨器具は刃の上に被せて使用するので、長期間使用すればデプスゲージ研磨器具引っかけ爪内側の刃の当たり面が摩耗してデプスゲージの高さが変わってくるので、これを防ぐために刃の当たり面に板バネを付けている。焼き入れローラーは回転して研磨ヤスリでローラーが磨り減るのを防ぐ事と、ソーチェーンの刃とデプスの高さを規定寸法に設定してあり過剰研磨しない。請求項１に記載のデプスゲージ研磨器具。
【考案の詳細な説明】
【技術分野】
【０００１】  本考案は、チェーンソーのソーチェーンデプスゲージの高さを正確に研磨調整するデプス研磨器具に関する。
【背景技術】
【０００２】  ループチェーンにカッターが左右交互に付いていて、これをエンジンや電気モーターで回転させ切断する切断機。樹木伐採、玉切り、枝切り、木工と木を切断する分野に多く使用されているチェーンソー。切断時に堅い異物（石や釘等）に当てたり長時間使用において刃先が摩耗して切れ味が落ちるので刃先やデプスゲージの研磨が必要となってくる。刃先とデプスゲージの高さの差は、０．６ｍｍくらいなのだが目分量で研磨するのは至難の作業となる。従来の研磨方法だと、デプスゲージで研磨具合を確認しながら研磨するので研磨時間も掛かるし、正確な高さに研磨をする事が難しいので、出来るだけ簡単で効率よく出来る物が有ればと、請求項１、２に記載するデプスゲージ研磨器具を考案。
【考案の概要】
【考案が解決しようとする課題】
【０００３】  デプスゲージの高さを調べるゲージで確認しながら研磨すると、確認時間も掛かり又、研磨で削り過ぎがあり適切な研磨作業が出来ないのである。そこで、簡単で正確に研磨出来て永く使用するための研磨器具の開発が必要になる。
【課題を解決するための手段】
【０００４】  デプスゲージを研磨ヤスリで研磨して規定値に至った時点に過剰研磨を制限する為に、ローラー２個で研磨ヤスリを受けて過剰研磨を防ぐ構造にした。
【考案の効果】
【０００５】  本考案によれば、請求項１、２に記載のデプスゲージ研磨器具１をソーチェーン１０の刃先８の上に被せて背面を押さえ安定させて、研磨ヤスリ１５を焼き入りローラー５の２個に合わせ前後させて研磨する。研磨ヤスリ１５が焼き入りローラー５二個に密着すれば研磨完了で、従来のやり方（ゲージでデプスゲージの高さを確認する作業）をしなくても簡単正確に素早くデプスゲージ９を研磨出来る。尚、焼き入りローラー５の２個で過剰研磨を制限する。又、焼き入りローラー５は焼き入れをしてあり回転するから、研磨ヤスリですり減らないので永く使用可能である。忙しい現場作業に於いてソーチェーンの目立て作業でデプスゲージ研磨が簡単で正確に早く出来て作業が捗る利点がある。
【図面の簡単な説明】
【０００６】
【図１】  デプスゲージ研磨器具側面図である。
【図２】  デプスゲージ研磨器具上面図である。
【図３】  デプスゲージ研磨器具縦面図である。
【図４】  デプスゲージ研磨器具チェーンに乗せた縦面図である。
【図５】  ソーチェーンの切り刃図である。
【図６】  デプスゲージ研磨器具をソーチェーに乗せた上面図である。
【図７】  デプスゲージ研磨器具をソーチェーに乗せた上面透視図である。
【図８】  デプスゲージ研磨器具をソーチェーに乗せた側面透視図である。
【図９】  デプスゲージ研磨器具をソーチェーに乗せた爪の透視図である。
【図１０】  デプスゲージ研磨器具をソーチェーに乗せて研磨作業の様子図である。
【考案を実施するための形態】
【０００７】  デプスゲージ高さを適正値に簡単素早く研磨する為に図１０に示すソーチェーン１０の上に、本考案のデプスゲージ研磨器具１を被せて研磨ヤスリを焼き入りローラー５の２個に沿わせて前後に動かして簡単素早くデプスゲージ９を研磨する。
【実施例】
【０００８】  以下、添付図面に従って一実施例を説明する。図１はデプスゲージ研磨器具本体１、板バネ２は刃先８が点当たりしてデプスゲージ研磨器具本体背面内側が傷つき摩耗して行くのを防ぐ為に付けてある。引っかけ爪６はデプスゲージ９を研磨する位置に固定するのである。焼き入りローラー５の２個は、研磨ヤスリ１５でデプスゲージ９の研磨を基準位置で止める役目をする。【０００９】  デプスゲージ研磨器具１はソーチェーン１０に被せて使用するためコの字型に曲げ加工してある。ヤスリ掛け開口部７は研磨ヤスリ１５で研磨する為である。焼き入りローラー５はコの字型のヤスリ掛け開口部７両側面のローラー支持ブラケット４にローラーピン３で取り付けて過剰研磨を制限する。【００１０】  図２はデプスゲージ研磨器具１の上面図で、デプスゲージ研磨器具１背面内側引っかけ爪６の所まで板バネ２を取り付けてありデプスゲージ研磨器具１の刃先当たりでの摩耗を保護している。【００１１】  図３はデプスゲージ研磨器具１の縦面図でデプスゲージ研磨器具１の両側面のローラー支持ブラケット４で焼き入りローラー５をローラー支持ブラケット４にローラーピン３で取り付けている図である。【００１２】  図４はデプスゲージ研磨器具１の縦面図でソーチェーン１０に被せていて、引っかけ爪６や刃先８とデプスゲージ９の様子を示している図である。【００１３】  図５はソーチェーン１０のカッター１２の部分を示している、刃先８とデプスゲージの高さの差１１をわかりやすく表している。この刃先８とデプスゲージの高さの差１１がソーチェーン１０においては重要な部分である。【００１４】  図６はソーチェーン１０にデプスゲージ研磨器具１を被せている様子の図で、研磨作業に当たる前の図である。【００１５】  図７は図６の状態だけど、デプスゲージ研磨器具１を透視してソーチェーン１０の刃先８の２点でデプスゲージ研磨器具１を安定させている様子を示している図である。【００１６】  図８はソーチェーン１０にデプスゲージ研磨器具１を被せて横側面を透視して使用状態を表している。焼き入りローラー５の上にデプスゲージ９が出ている図であり、このデプスゲージ９が見えなくなるまで研磨するのである。【００１７】  図９はソーチェーン１０にデプスゲージ研磨器具１を被せた引っかけ爪６の部分拡大している図で、刃先８に引っかけ爪６が引っかかっている状態が分かるのである。この引っかけ爪６が有るから素早くソーチェーン１０の刃先８に引っかけて安定し正確に研磨作業が出来るものである。【００１８】  図１０はソーチェーン１０にデプスゲージ研磨器具１を被せて研磨ヤスリ１５を乗せて研磨作業が出来る状態図である。
【符号の説明】
【００１９】  １  デプスゲージ研磨器具
２  板バネ
３  ローラーピン
４  ローラー支持ブラケット
５  焼き入りローラー
６  引っかけ爪
７  ヤスリ掛け開口部
８  刃先
９  デプスゲージ
１０  ソーチェーン
１１  刃先とデプスゲージの高さの差
１２  カッター
１３  リベット穴
１４  ソーチェーン透視
１５  研磨ヤスリ
【図１】
0003218960.tif 000003
【図２】
0003218960.tif 000004
【図３】
0003218960.tif 000005
【図４】
0003218960.tif 000006
【図５】
0003218960.tif 000007
【図６】
0003218960.tif 000008
【図７】
0003218960.tif 000009
【図８】
0003218960.tif 000010
【図９】
0003218960.tif 000011
【図１０】
0003218960.tif 000012
【手続補正書】
【提出日】平成30年8月29日(2018.8.29)
【手続補正１】
【補正対象書類名】実用新案登録請求の範囲
【補正対象項目名】全文
【補正方法】変更
【補正の内容】
【実用新案登録請求の範囲】
【請求項１】
デプスゲージ研磨器具はチェーンソーのソーチェーンに被せて使用するため本体はコの字型に形成して、コの字型背面の端寄りに研磨ヤスリ掛け用の長方形開口部を形成し、焼き入りローラーを支持ブラケットにローラーピンで取り付け、前記本体ヤスリ掛け用の長方形開口部両側面に形成したデプスゲージ研磨器具であって、焼き入りローラーの取り付け位置はデプスゲージ高さの規定寸法位置に取り付けてある、デプスゲージを規定寸法高さに研磨出来て過剰研磨制限もする事を特徴とするデプスゲージ研磨器具。
【請求項２】
請求項１に記載のデプスゲージ研磨器具はソーチェーンの刃の上に被せて使用するが、研磨ヤスリがデプスゲージ位置に合うように背面の長方形開口部の背面長手側に引っかけ爪を内側向きに形成しており、デプスゲージ研磨器具を長期間使用すれば引っかけ爪内側が摩耗してデプスゲージの規定寸法高さが変わって行くので、これを防ぐために刃の当たり面（引っかけ爪の内側）に板バネを付けており、ローラーは研磨ヤスリが当たって摩耗するので摩耗を防ぐため焼き入れしてある事を特徴とする請求項１に記載のデプスゲージ研磨器具。